(57)【要約】      （修正有）【課題】操作者が操作端末の操作画面から、よりスムーズに監視映像表示画面の切替操作を行うことが可能な映像監視システムを提供する。【解決手段】操作端末は、主回線に接続するための主回線用選択ボタンおよび予備回線に接続するための予備回線用選択ボタンを有する回線切替画面と、回線切替画面の主回線用選択ボタンの選択操作で、主回線を介して送信された監視カメラからの映像を表示する主回線用監視画面と、回線切替画面の予備回線用選択ボタンの選択操作で、予備回線を介して送信された監視カメラからの映像を表示する予備回線用監視画面と、を表示部に表示する制御を行う。表示部に主回線用監視画面を表示している時に、回線状態監視手段から主回線の障害を検知した場合、主回線用監視画面から回線切替画面への自動遷移を行い、主回線の障害を表示部上で通知する。【選択図】図１
2016015624.tif 000002
【特許請求の範囲】
【請求項１】
所定のエリアを撮影する監視カメラと、前記監視カメラで撮影した映像を主回線または予備回線を介して受信し、当該映像を表示部に表示する操作端末と、前記操作端末に接続されており、前記主回線の障害を検知し、前記操作端末へ主回線の状態を通知する回線状態監視手段と、を含んで構成される映像監視システムにおいて、
前記操作端末は、
前記主回線に接続するための主回線用選択ボタンおよび前記予備回線に接続するための予備回線用選択ボタンを有する回線切替画面と、
前記回線切替画面の前記主回線用選択ボタンの選択操作で、前記主回線を介して送信された前記監視カメラからの映像を表示する主回線用監視画面と、
前記回線切替画面の前記予備回線用選択ボタンの選択操作で、前記予備回線を介して送信された前記監視カメラからの映像を表示する予備回線用監視画面と、
を前記表示部に表示する制御を行い、
前記表示部に前記主回線用監視画面を表示している時に、前記回線状態監視手段から前記主回線の障害を検知した場合、前記主回線用監視画面から前記回線切替画面への自動遷移を行い、前記主回線の障害を前記表示部上で通知することを特徴とする映像監視システム。
【請求項２】
請求項１記載の映像監視システムにおいて、
前記回線状態監視手段は、前記主回線の復旧を検知し、前記操作端末へ主回線の状態を通知し、
前記操作端末は、前記表示部に前記予備回線用監視画面を表示している時に、前記回線状態監視手段から前記主回線の復旧を示す前記主回線の状態を受信した場合に、前記主回線の復旧を前記表示部上で通知することを特徴とする映像監視システム。
【請求項３】
請求項１または２に記載の映像監視システムにおいて、
前記操作端末は、前記回線切替画面で選択された回線が実際の回線情報と一致するか否かと、現在のログイン数とログイン制限を比較し更新することにより、回線状態が一致し且つログイン制限数未満である場合にログインを実行して各監視画面へ遷移することを特徴とする映像監視システム。
【発明の詳細な説明】
【技術分野】
【０００１】
本発明は、監視カメラで所定のエリアを撮影し、撮影した映像を見て監視を行う映像監視システムに係り、特に、異なる２つの回線を使用して監視映像を送信する場合に、障害発生時の回線の切替操作が容易な映像監視システムに関する。
【背景技術】
【０００２】
従来から、ホテル、ビル、コンビニエンスストア、金融機関、ダムや道路といった不特定多数の人が訪れる施設には、犯罪抑止や事故防止等の目的で、映像監視システムが設置されている。これは、監視対象の人物等をカメラ等の撮像装置で撮影し、その映像を、管理事務所や警備室等の監視端末に伝送し、常駐する監視者がそれを監視し、目的や必要に応じて注意する、或いは映像を記録するものである。
【０００３】
また、映像伝送にＩＰ（Internet Protocol）網を使用した映像監視システムにおいては、通常、地上回線や衛星回線などの回線のいずれか一つを使用してデータ通信を行う。しかし、例えば、ネットワーク回線等の地上回線のみを使用してデータ通信を行った場合、障害等によってネットワーク回線装置間のネットワーク回線が遮断されると、回線が使用不可となりデータ通信ができないため、監視端末での映像監視ができなくなる。このような場合、回線の復旧には時間を要するため、復旧までの間、映像監視を行うことができないという問題が発生する。
【０００４】
上記のように、回線に障害が発生し、データ通信ができなくなった場合、映像監視を再開するのにどれくらいの時間がかかるのか状況によっては未定である。
そこで、映像監視ができない時間を最小限に抑えるために、通常使用する回線と障害時に使用する回線を併用し、それぞれに切替可能な映像監視システムが提案されている。
具体的には、地上回線に対して予備の衛星回線を設けることで、地上回線に万一障害が発生し使用不可となった場合でも、衛星回線に切り替えることで、映像監視ができない時間を最小限に抑え、地上回線の復旧を待たずに映像監視を継続することが可能となる。
【０００５】
特許文献１には、衛星回線の復旧後における切り戻しを自動的に速やかに行うことができる衛星回線バックアップシステムが開示されている。また、特許文献１には、データ送受を衛星回線あるいは地上回線のいずれか一方に切替える切替装置と、衛星回線の状態を検知しこの状態に基づいて切替装置を制御する回線状態検知制御装置とを備え、衛星回線が異常である場合には地上回線に切替え、また地上回線に切替えた状態で所定の時間だけ衛星回線が正常であるときには衛星回線に切り戻す動作をすることが記載されている。
【先行技術文献】
【特許文献】
【０００６】
【特許文献１】特開平９−１７２４００号公報
【発明の概要】
【発明が解決しようとする課題】
【０００７】
しかしながら、上記のように二つの回線を併用する場合には、映像監視ができない時間を最小限にすることが重要であるため、異なる回線を使用する監視映像表示画面の切替操作を、誰もが、容易に、誤操作なく、迅速に行える仕組みが必要である。
【０００８】
本発明は、このような従来の事情に鑑みなされたものであり、異なる２つの回線のいずれか一つの回線を使用して送信された映像を見ながら監視業務を行う際に、操作者が操作端末の操作画面から、よりスムーズに監視映像表示画面の切替操作を行うことが可能な映像監視システムを提供することを目的とする。
【課題を解決するための手段】
【０００９】
上記目的を達成するための本発明に係る映像監視システムは、所定のエリアを撮影する監視カメラと、前記監視カメラで撮影した映像を主回線または予備回線を介して受信し、当該映像を表示部に表示する操作端末と、前記操作端末に接続されており、前記主回線の障害を検知し、前記操作端末へ主回線の状態を通知する回線状態監視手段と、を含んで構成される映像監視システムにおいて、前記操作端末は、前記主回線に接続するための主回線用選択ボタンおよび前記予備回線に接続するための予備回線用選択ボタンを有する回線切替画面と、前記回線切替画面の前記主回線用選択ボタンの選択操作で、前記主回線を介して送信された前記監視カメラからの映像を表示する主回線用監視画面と、前記回線切替画面の前記予備回線用選択ボタンの選択操作で、前記予備回線を介して送信された前記監視カメラからの映像を表示する予備回線用監視画面と、を前記表示部に表示する制御を行い、前記表示部に前記主回線用監視画面を表示している時に、前記回線状態監視手段から前記主回線の障害を検知した場合、前記主回線用監視画面から前記回線切替画面への自動遷移を行い、前記主回線の障害を前記表示部上で通知することを特徴とする。
【００１０】
また、上記目的を達成するための本発明に係る映像監視システムは、上記した映像監視システムにおいて、前記回線状態監視手段は、前記主回線の復旧を検知し、前記操作端末へ主回線の状態を通知し、前記操作端末は、前記表示部に前記予備回線用監視画面を表示している時に、前記回線状態監視手段から前記主回線の復旧を示す前記主回線の状態を受信した場合に、前記主回線の復旧を前記表示部上で通知することを特徴とする。
【００１１】
また、上記目的を達成するための本発明に係る映像監視システムは、上記した映像監視システムにおいて、前記操作端末は、前記回線切替画面で選択された回線が実際の回線情報と一致するか否かと、現在のログイン数とログイン制限を比較し更新することにより、回線状態が一致し且つログイン制限数未満である場合にログインを実行して各監視画面へ遷移することを特徴とする。
【発明の効果】
【００１２】
本発明によれば、異なる２つの回線のいずれか一つの回線を使用して送信された映像を見ながら監視業務を行う際に、操作者が操作端末の操作画面から、よりスムーズに監視映像表示画面の切替操作を行うことが可能な映像監視システムを提供することができる。
【図面の簡単な説明】
【００１３】
【図１】本発明の実施形態１に係る映像監視システムの全体構成の一例を示すブロック図である。
【図２】本発明の実施形態１に係る映像監視システムに用いる操作端末７０のハードウェア構成の一例を示す図である。
【図３】映像監視システムにログインする際のログイン操作画面の一例を示す図である。
【図４】地上回線を介して送信された監視エリアの映像を表示する地上回線用監視画面の一例を示す図である。
【図５】地上回線障害発生時のポップアップ表示画面の一例を示す図である。
【図６】衛星回線を介して送信された監視エリアの映像を表示する衛星回線用監視画面の一例を示す図である。
【図７】地上回線障害復旧時のポップアップ表示画面の一例を示す図である。
【図８】本発明の実施形態１に係る映像監視システムにおいて、回線障害発生時の受信局５０とＩＴＶ制御装置８０と操作端末７０との間で行われる処理シーケンスを示す図である。
【図９】本発明の実施形態１に係る映像監視システムにおいて、回線障害復旧時の受信局５０とＩＴＶ制御装置８０と操作端末７０との間で行われる処理シーケンスを示す図である。
【図１０】本発明の実施形態１に係る映像監視システムにおいて、回線障害発生および復旧時での操作端末７０の動作の一例を示すフローチャートである。
【発明を実施するための形態】
【００１４】
＜実施形態１＞
以下、本発明の実施形態１に係る映像監視システムついて、図面を参照して説明する。なお、各図の説明において、共通な機能を有する構成要素には同一の参照番号を付し、できるだけ説明の重複を避けるため、説明を省略するようにした。
【００１５】
〔映像監視システムの制御構成〕
本発明の実施形態１に係る映像監視システムの制御構成について、図１を参照して説明する。
図１は、本発明の実施形態１に係る映像監視システムの全体構成の一例を示すブロック図である。
図１において、１０は監視対象エリアを撮像して映像信号を出力する監視カメラ、２０は監視カメラ１０から入力された映像信号をデジタル化、エンコードし、映像データとして出力するＷＥＢエンコーダ、３０はＷＥＢエンコーダから入力された映像データを地上のネットワーク回線４０または衛星回線１００に送出する送信局、４０は送信局３０から出力された映像データを伝送するネットワークケーブルや無線ＬＡＮ（Local  Area  Network）、公衆回線等の地上回線であるネットワーク回線、９０は送信局３０から出力された映像データを受信局５０に衛星回線１００を介してデータ伝送するための仲介を行う通信衛星、５０は送信局３０からネットワーク回線４０または衛星回線１００を介して映像データを受信する受信局、６０はＩＴＶ（Industrial  Television）システム用のＩＴＶネットワーク回線、７０はネットワーク回線４０または衛星回線１００を介して伝送された映像データを受信し、画像表示が可能な形式にデコードし、表示部に表示する操作端末、８０はＩＴＶネットワーク回線６０を介してＩＴＶシステム内の装置の制御を行うＩＴＶ制御装置である。
【００１６】
ここで、本実施形態１では、監視カメラ１０とＷＥＢエンコーダ２０を分離した構成として記載するが、監視カメラ１０とＷＥＢエンコーダ２０を一体化したＷＥＢカメラを用いても同様の効果を奏することができる。また、ネットワーク回線４０にはルータやハブ等のネットワーク機器も含まれることとし、ネットワーク回線４０に接続された各機器は、このネットワーク回線４０を介して互いに通信し合うことができるものとする。
【００１７】
監視カメラ１０は、監視対象エリアを撮影して映像信号を生成し、ＷＥＢエンコーダ２０へ出力する。
ＷＥＢエンコーダ２０は、監視カメラ１０から入力された映像信号をデジタル化し、ＭＰＥＧ−４（Moving  Picture  Experts  Group  phase  4）やＭＪＰＥＧ（Motion  Joint  Photographic  Experts  Group）等の規格を用いて画像圧縮してエンコードし、送信局３０へ出力する。
【００１８】
送信局３０は、図１に示すように、ネットワーク回線装置３２と、衛星回線装置３３と、送信用アンテナ３４と、制御部３１とから構成されている。制御部３１は、ＷＥＢエンコーダ２０から入力された映像データを、通常時はネットワーク回線装置３２に、回線障害発生時は衛星回線装置３３に送出する。ネットワーク回線装置３２は、入力された映像データをそのままネットワーク回線４０に送出する。衛星回線装置３３は、入力された映像データを衛星回線１００に適した映像データに周波数変換を行い、送信用アンテナ３４から送出する。
受信局５０は、図１に示すように、ネットワーク回線装置５２と、衛星回線装置５３と、受信用アンテナ５４と、制御部５１とから構成されている。ネットワーク回線装置５２は、送信局３０からネットワーク回線４０を介して入力された映像データを受信し、制御部５１に出力する。また、衛星回線装置５３は、衛星回線１００を通して送信された映像データを、受信用アンテナ５４を介して受信し、周波数変換を行った後、制御部５１に出力する。
制御部５１は、回線障害検出手段５１ａと、回線切替手段５１ｂとを有する。また、制御部５１は、通常は、ネットワーク回線装置５２を介して受信した映像データを、ＩＴＶネットワーク回線６０を介して操作端末７０に送信するが、回線障害検出手段５１ａがネットワーク回線４０の障害を検知すると、回線切替手段５１ｂが回線の切り替えを行い、衛星回線装置５３から入力された映像データを、ＩＴＶネットワーク回線６０を介して操作端末７０に送信する。
【００１９】
ＩＴＶ制御装置８０は、ＩＴＶネットワーク回線６０を介してＩＴＶシステム内の装置の制御を行うが、受信局５０から衛星回線１００への回線切替信号を受信すると、操作端末７０に対して、衛星回線用監視画面への切替要求を行い、また、受信局５０からネットワーク回線４０への回線切替信号を受信すると、操作端末７０に対して、地上回線用監視画面への切替要求を行う。
操作端末７０は、ネットワーク回線４０または衛星回線１００を介して伝送された映像データを受信し、映像表示が可能な形式にデコードし、表示装置２７０に表示する。また、マウスやキーボード等の操作Ｉ／Ｆを用いて、ＧＵＩ上で、映像データの切替要求、回線の切替要求等の操作を行う。
【００２０】
図２には、本発明の実施形態１に係る映像監視システムに用いる操作端末７０のハードウェア構成を例示してある。
操作端末７０のハードウェア構成は、図２に示すように、ＣＰＵ２６１、主記憶部２６２、補助記憶部２６３、表示Ｉ／Ｆ２６４、入出力Ｉ／Ｆ２６５、ネットワークＩ／Ｆ２６６が、バス２６０で結合された形態である。また、表示Ｉ／Ｆ２６４は、表示装置２７０と接続され、入出力Ｉ／Ｆ２６５は、キーボード２８０やマウス２８２などの入出力装置と接続される。
【００２１】
ＣＰＵ２６１は、操作端末７０の各部の制御と、機能を実現するためのプログラムの実行を行う。主記憶部２６２は、ＤＲＡＭなどの半導体装置で実現され、表示のための映像データやＣＰＵ２６１で実行するプログラムをロードして格納するための中間的なメモリである。補助記憶部２６３は、ＨＤＤやフラッシュメモリなどで実現され、主記憶部２６２より大容量のメモリであり、映像データやプログラムを格納する。表示Ｉ／Ｆ２６４は、表示装置２７０と接続するためのインタフェースである。入出力Ｉ／Ｆ２６５は、キーボード２８０やマウス２８２などの入出力装置と接続するためのインタフェースである。ネットワークＩ／Ｆ２６６は、ＩＴＶネットワーク回線６０を介して、ＩＴＶ制御装置８０から操作画面の切替要求を受信したり、ＩＴＶ制御装置８０に回線の切替要求を送信したりするためのインタフェースである。
表示装置２７０は、例えば、ＬＣＤ（Liquid  Crystal  Display）などの装置であり、映像や画像をその表示部に表示する装置である。操作者は、表示装置２７０の表示部に表示された操作画面を、キーボード２８０やマウス２８２などの入出力装置を操作して、例えば、ＧＵＩ（Graphical  User  Interface）操作することによって、ＩＴＶ制御装置８０に回線の切替要求を送信したり、操作端末７０及び受信局５０等のＩＴＶシステムを操作したりする。
【００２２】
ここで、操作端末７０を使い映像監視を行う操作者が操作する表示装置２７０の操作画面について、図３〜７を参照して説明する。
図３は、映像監視システムにログインする際のログイン操作画面の一例を示す図である。図４は、地上回線を介して送信された監視エリアの映像を表示する地上回線用監視画面の一例を示す図である。図５は、地上回線障害発生時のポップアップ表示画面の一例を示す図である。図６は、衛星回線を介して送信された監視エリアの映像を表示する衛星回線用監視画面の一例を示す図である。また、図７は、地上回線障害復旧時のポップアップ表示画面の一例を示す図である。
【００２３】
ログイン操作画面５００は、映像監視システムの操作端末７０を起動後、はじめに本操作画面が表示される。
ログイン操作画面５００は、図３に示すように、画面上部の地上回線欄５０１と、画面下部の衛星回線欄５０２に分かれており、画面上部の地上回線欄５０１は、後述する地上回線用監視画面５２０（図４参照）を使用する際に、操作端末７０の操作者がマウス２８２のクリック操作等で欄内の任意のエリア選択ボタン５０３を押下しログインする。また、画面下部の衛星回線欄５０２は、後述する衛星回線用監視画面５３０（図６参照）を使用する際に、操作端末７０の操作者がマウス２８２のクリック操作等で欄内の任意のエリア選択ボタン５０４を押下しログインする。
なお、映像監視システムの操作端末７０起動直後に関しては、地上回線であるネットワーク回線４０を必ず使用する為、地上回線欄５０１より監視を行う監視エリアのエリア選択ボタン５０３を押下しログインする。
地上回線であるネットワーク回線４０を介して送信された所定の監視エリアの映像を表示する地上回線用監視画面５２０は、図４に示すように、操作者が選択した監視エリアに設置された監視カメラ１０から送信された監視映像を表示する映像表示部５２１と、映像表示部５２１に表示する監視映像の操作を行う映像操作部５２２と、映像監視システム内の監視エリアの一覧および選択された監視エリア（例えば、「エリア３」）を示すエリアリスト５２３とから構成されている。
【００２４】
ポップアップ表示画面５１０は、図５に示すように、地上回線であるネットワーク回線４０に障害が発生した時に、『地上回線が使用不可になりました。ＩＴＶシステムの回線を衛星回線に切り替えて下さい。』のメッセージを表示装置２７０の操作画面上にポップアップウィンドウで表示するための画面である。
衛星回線１００を介して送信された所定の監視エリアの映像を表示する衛星回線用監視画面５３０は、図６に示すように、操作者が選択した監視エリアに設置された監視カメラ１０から送信された監視映像を表示する映像表示部５３１と、映像表示部５３１に表示する監視映像の操作を行う映像操作部５３２と、映像監視システム内の監視エリアの一覧および選択された監視エリア（例えば、「エリア３」）を示すエリアリスト５３３とから構成されている。
ポップアップ表示画面５４０は、図７に示すように、地上回線であるネットワーク回線４０の障害が復旧した時に、『地上回線が復旧しました。ＩＴＶシステムの回線を地上回線に切り替えて下さい。』のメッセージを表示装置２７０の操作画面上にポップアップウィンドウで表示するための画面である。
【００２５】
〔映像監視システムにおける回線障害発生時の処理シーケンス〕
次に、本発明の実施形態１に係る映像監視システムにおいて、回線障害発生時の受信局５０とＩＴＶ制御装置８０と操作端末７０との間で行われる処理について、図８を参照して説明する。図８は、本発明の実施形態１に係る映像監視システムにおいて、回線障害発生時の受信局５０とＩＴＶ制御装置８０と操作端末７０との間で行われる処理シーケンスを示す図である。
通常、操作端末７０では、表示装置２７０の操作画面上に地上回線用監視画面５２０（図４参照）を表示して、操作者が映像を見ながら監視業務を行っている（ステップＳ１０１）。
受信局５０の制御部５１は、常に、回線障害検出手段５１ａでネットワーク回線４０の状態を監視しており、ネットワーク回線４０の障害を検知すると（ステップＳ１０２）、回線切替手段５１ｂで衛星回線１００への回線切替を行い（ステップＳ１０３）、ＩＴＶ制御装置８０に対して、衛星回線１００への回線切替信号を送信する（ステップＳ１０４）。
ＩＴＶ制御装置８０は、受信局５０から衛星回線１００への回線切替信号を受信すると、操作端末７０に対して、自動遷移によるログイン操作画面５００（図３参照）への切替要求を送信する（ステップＳ１０５）。
【００２６】
操作端末７０は、ＩＴＶ制御装置８０からログイン操作画面５００への切替要求を受信すると、ＩＴＶ制御装置８０に対して、応答信号を送信する（ステップＳ１０６）。
操作端末７０では、地上回線用監視画面５２０からログイン操作画面５００への自動遷移が行われ（ステップＳ１０７）、また、ネットワーク回線４０から衛星回線１００への切り替えを促すためのポップアップ表示画面５１０（図５参照）がログイン操作画面５００に重なるように表示される（ステップＳ１０８）。なお、ポップアップ表示画面５１０に表示するメッセージの内容は、操作者へネットワーク回線４０に異常が生じた旨と、ログイン操作画面５００による衛星回線用監視画面５３０への切替操作を促すものとなっている。この時、操作者にメッセージの内容を必ず把握させるようにするため、ポップアップ表示画面５１０の表示中は、先に表示させたログイン操作画面５００の操作ができないよう非活性状態（ログイン操作画面５００の一切の操作ができないようグレーにマスクされている状態）にしても良い。
【００２７】
操作端末７０では、操作者がステップＳ１０８で表示されたポップアップ表示画面５１０の「ＯＫ」ボタン５１１を押下することによって（ステップＳ１０９）、ポップアップ表示画面５１０が閉じられ、マスク状態が解除されてログイン操作画面５００の操作が可能となる（ステップＳ１１０）。また、ここでは誤操作を防止するため、使用する必要のない地上回線欄５０１のエリア選択ボタン５０３は、すべて非活性状態（一切の操作ができないようグレーにマスクされている状態）にしても良い。
操作端末７０では、ログイン操作画面５００において、操作者がマウス２８２等の操作で、衛星回線欄５０２の所望の監視エリアのエリア選択ボタン５０４を選択することによって（ステップＳ１１１）、衛星回線１００へのログインが為され、ＩＴＶ制御装置８０に対して、衛星回線１００への回線切替要求が送信される（ステップＳ１１２）。
【００２８】
ＩＴＶ制御装置８０は、操作端末７０から衛星回線１００への回線切替要求を受信すると、操作端末７０に対して、応答信号を送信する（ステップＳ１１３）。
操作端末７０は、ＩＴＶ制御装置８０から応答信号を受信すると、表示装置２７０の操作画面上に衛星回線用監視画面５３０を表示し（ステップＳ１１４）、操作者が衛星回線用監視画面５３０の監視映像を見ながら監視を行う。
【００２９】
〔映像監視システムにおける回線障害復旧時の処理シーケンス〕
次に、本発明の実施形態１に係る映像監視システムにおいて、回線障害復旧時の受信局５０とＩＴＶ制御装置８０と操作端末７０との間で行われる処理について、図９を参照して説明する。図９は、本発明の実施形態１に係る映像監視システムにおいて、回線障害復旧時の受信局５０とＩＴＶ制御装置８０と操作端末７０との間で行われる処理シーケンスを示す図である。
地上回線であるネットワーク回線４０での回線障害発生後、操作端末７０では、表示装置２７０の操作画面上に衛星回線用監視画面５３０（図６参照）を表示し、操作者が監視映像を見ながら監視を行っている（ステップＳ２０１）。
受信局５０の制御部５１は、回線障害検出手段５１ａでネットワーク回線４０の障害復旧を検知すると（ステップＳ２０２）、回線切替手段５１ｂでネットワーク回線４０への回線切替を行い（ステップＳ２０３）、ＩＴＶ制御装置８０に対して、ネットワーク回線４０への回線切替信号を送信する（ステップＳ２０４）。
ＩＴＶ制御装置８０は、受信局５０からネットワーク回線４０への回線切替信号を受信すると、操作端末７０に対して、衛星回線用監視画面５３０からログイン操作画面５００（図３参照）へ遷移するよう要求を行う（ステップＳ２０５）。
【００３０】
操作端末７０は、ＩＴＶ制御装置８０からログイン操作画面５００への切替要求を受信すると、ＩＴＶ制御装置８０に対して、応答信号を送信する（ステップＳ２０６）。
操作端末７０では、衛星回線用監視画面５３０からログイン操作画面５００への自動遷移を行わず、衛星回線用監視画面５３０に重ねて、衛星回線１００からネットワーク回線４０への切り替えを促すためのポップアップ表示画面５４０（図７参照）が表示される（ステップＳ２０７）。なお、ポップアップ表示画面５４０に表示するメッセージの内容は、操作者へネットワーク回線４０の障害が復旧した旨と、衛星回線用監視画面５３０から地上回線用監視画面５２０への切替操作を促すものとなっている。この時、操作者にメッセージの内容を必ず把握させるようにするため、ポップアップ表示画面５４０の表示中は、衛星回線用監視画面５３０の操作ができないよう非活性状態（一切の操作ができないようグレーにマスクされている状態）にしても良い。
【００３１】
操作端末７０では、操作者がステップＳ２０７で表示されたポップアップ表示画面５４０の「ＯＫ」ボタン５４１を押下することによって（ステップＳ２０８）、ポップアップ表示画面５４０が閉じられ（ステップＳ２０９）、マスク状態が解除されて衛星回線用監視画面５３０の操作が可能となる。
操作端末７０では、操作者が任意のタイミングで手動にてログイン操作画面５００へ遷移させる（ステップＳ２１０）。この時、ネットワーク回線４０に障害が発生した場合のように、衛星回線用画面５３０からログイン操作画面５００への自動遷移は行わない。これは、ネットワーク回線４０の復旧は緊急を要するものではなく、ネットワーク回線４０の復旧時点で行っている他のシステム操作を任意で続行できるよう配慮したものである。なお、復旧時に、ログイン操作画面５００への遷移を手動で行うか、または自動で行うかはシステム上任意に設定できるようにしても良い。
操作端末７０では、ログイン操作画面５００において、操作者がマウス２８２等の操作で、地上回線欄５０１の所望の監視エリアのエリア選択ボタン５０３を選択することによって（ステップＳ２１１）、ネットワーク回線４０へのログインが為され、ＩＴＶ制御装置８０に対して、ネットワーク回線４０への回線切替要求が送信される（ステップＳ２１２）。
【００３２】
ＩＴＶ制御装置８０は、操作端末７０からネットワーク回線４０への回線切替要求を受信すると、操作端末７０に対して、応答信号を送信する（ステップＳ２１３）。
操作端末７０は、ＩＴＶ制御装置８０から応答信号を受信すると、表示装置２７０の操作画面上に地上回線用監視画面５２０を表示し（ステップＳ２１４）、操作者が地上回線用監視画面５２０の監視映像を見ながら監視を行う。
【００３３】
〔映像監視システムにおける操作端末の動作〕
次に、本発明の実施形態１に係る映像監視システムにおいて、回線障害発生および復旧時での操作端末７０の動作について、図１０を参照して説明する。
図１０は、本発明の実施形態１に係る映像監視システムにおいて、回線障害発生および復旧時での操作端末７０の動作の一例を示すフローチャートである。
【００３４】
操作者が操作端末７０を起動すると（ステップＳ３０１）、操作端末７０の表示装置２７０の操作画面上に、図３に示すログイン操作画面５００が表示される（ステップＳ３０２）。なお、操作端末７０起動直後に関しては、地上回線であるネットワーク回線４０を必ず使用する為、地上回線欄５０１より監視を行う監視エリアのエリア選択ボタン５０３を押下しログインする。そこで、誤操作を防止するため、ログイン操作画面５００の衛星回線欄５０２の各エリア選択ボタン５０４はすべて非活性状態（ボタンが押下できないようグレーにマスクされた状態）にしても良い。
表示されたログイン操作画面５００において、操作者がマウス２８２等の操作で、地上回線欄５０１のエリア選択ボタン５０３の中から、例えば、「エリア３」を選択することにより、地上回線であるネットワーク回線４０を介して「エリア３」に設置された監視カメラ１０へのログイン（接続）が為される（ステップＳ３０３）。
操作端末７０の表示装置２７０には、図４に示す地上回線用監視画面５２０が表示され（ステップＳ３０４）、その映像表示部５２１には、「エリア３」の監視映像が映し出される。
【００３５】
ここで、ステップＳ３０５において、地上回線であるネットワーク回線４０に障害が発生しているか否かの判定を行い、障害が発生してない場合（ＮＯ）には、ステップＳ３０４に処理を戻し、障害が発生している場合（ＹＥＳ）には、ステップＳ３０６に処理を進める。
操作端末７０の表示装置２７０では、地上回線用監視画面５２０からログイン操作画面５００への自動遷移が行われ（ステップＳ３０６）、また、ネットワーク回線４０から衛星回線１００への切り替えを促すためのポップアップ表示画面５１０（図５参照）がログイン操作画面５００に重なるように表示される（ステップＳ３０７）。なお、ポップアップ表示画面５１０に表示するメッセージの内容は、操作者へネットワーク回線４０に異常が生じた旨と、ログイン操作画面５００による衛星回線用監視画面５３０への切替操作を促すものとなっている。この時、操作者にメッセージの内容を必ず把握させるようにするため、ポップアップ表示画面５１０の表示中は、先に表示させたログイン操作画面５００の操作ができないようすべて非活性状態（ログイン操作画面５００の一切の操作ができないようグレーにマスクされている状態）にする。
【００３６】
操作者がステップＳ３０７で表示されたポップアップ表示画面５１０の「ＯＫ」ボタン５１１を押下することによって、ポップアップ表示画面５１０が閉じられ、マスク状態が解除されてログイン操作画面５００の操作が可能となる（ステップＳ３０８）。また、ここでは誤操作を防止するため、使用する必要のない地上回線欄５０１の各エリア選択ボタン５０３は、すべて非活性状態（一切の操作ができないようグレーにマスクされている状態）にしても良い。
操作端末７０では、ログイン操作画面５００において、操作者がマウス２８２等の操作で、衛星回線欄５０２の所望の監視エリアのエリア選択ボタン５０４を選択することにより、衛星回線１００へのログインが為される（ステップＳ３１０）。
操作端末７０の表示装置２７０には、図６に示す衛星回線用監視画面５３０が表示され（ステップＳ３１１）、その映像表示部５２１に、選択された監視エリアの監視映像が映し出される。
【００３７】
ここで、ステップＳ３１２において、地上回線であるネットワーク回線４０が障害から復旧したか否かの判定を行い、障害から復旧してない場合（ＮＯ）には、ステップＳ３１１に処理を戻し、障害から復旧した場合（ＹＥＳ）には、ステップＳ３１３に処理を進める。
【００３８】
操作端末７０では、衛星回線用監視画面５３０からログイン操作画面５００への自動遷移を行わず、衛星回線用監視画面５３０に重ねて、衛星回線１００からネットワーク回線４０への切り替えを促すためのポップアップ表示画面５４０（図７参照）が表示される（ステップＳ３１３）。なお、ポップアップ表示画面５４０に表示するメッセージの内容は、操作者へネットワーク回線４０の障害が復旧した旨と、衛星回線用監視画面５３０から地上回線用監視画面５２０への切替操作を促すものとなっている。この時、操作者にメッセージの内容を必ず把握させるようにするため、ポップアップ表示画面５４０の表示中は、衛星回線用監視画面５３０の操作ができないよう非活性状態（一切の操作ができないようグレーにマスクされている状態）にしても良い。
操作者がステップＳ３１３で表示されたポップアップ表示画面５４０の「ＯＫ」ボタン５４１を押下することによって（ステップＳ３１４）、ポップアップ表示画面５４０が閉じられ、マスク状態が解除されて衛星回線用監視画面５３０の操作が可能となる（ステップＳ３１５）。
【００３９】
ここで、操作者は、任意のタイミングで手動にてログイン操作画面５００へ遷移させる（ステップＳ３１６）。この時、ネットワーク回線４０に障害が発生した場合のように、衛星回線用画面５３０からログイン操作画面５００への自動遷移は行わない。これは、ネットワーク回線４０の復旧は緊急を要するものではなく、ネットワーク回線４０の復旧時点で行っている他のシステム操作を任意で続行できるよう配慮したものである。なお、復旧時に、ログイン操作画面５００への遷移を手動で行うか、または自動で行うかはシステム上任意に設定できるようにしても良い。ログイン操作画面５００へ自動遷移するように設定した場合、Ｓ３１５はスキップする。
【００４０】
操作端末７０では、ログイン操作画面５００において、操作者がマウス２８２等の操作で、地上回線欄５０１の所望の監視エリアのエリア選択ボタン５０３を選択することによって、ネットワーク回線４０へのログインが為される（ステップＳ３０３）。なお、ここで誤操作を防止するため、使用する必要のない衛星回線欄５０４の各エリア選択ボタン５０４は、すべて非活性状態（一切の操作ができないようグレーにマスクされている状態）にしても良い。
操作者は、ステップＳ３０３によって、地上回線欄５０３より所望の監視エリアのエリア選択ボタン５０３を選択してログインすることで、当該エリアの地上回線用監視画面５２０が表示装置２７０の操作画面上に表示され（ステップＳ３０４）、これにより、操作者がネットワーク回線４０を使用した映像監視を行うことができる。
【００４１】
なお、地上回線であるネットワーク回線４０の障害発生時における、地上回線用監視画面５２０から衛星回線用監視画面５３０への切替操作は、適切なタイミングで適切な操作者が行う必要があるため、特定の操作者のみがログイン操作画面５００へアクセスできるようにログイン権限を設けたり、上記手順で取り上げた実施例のように、それぞれ独立した回線をもつ監視エリアが複数個所ある場合、回線の障害発生時に画面切替を行う必要がある監視エリアのログインボタン（エリア選択ボタン）を、赤点滅させて操作を誘導するなどの、誤操作を防止する処理を更に追加してもよい。
【００４２】
以上説明したように、本発明の実施形態１に係る映像監視システムによれば、異なる２つの回線のいずれか一つの回線を使用して送信された映像を見ながら監視業務を行う際に、操作者が操作端末の操作画面から、よりスムーズに監視映像表示画面の切替操作を行うことが可能な映像監視システムを提供することができる。
【００４３】
＜他の実施形態＞
以下、本発明の他の実施形態に係る映像監視システムについて、詳細に説明する。
本発明の他の実施形態に係る映像監視システムは、本発明の実施形態１に係る映像監視システムに対して、例えば、以下の特徴を有するものである。
（１）映像監視システムにおいて、定期的に回線状態を監視しており、回線状態が変化すると操作端末７０のログイン操作画面５００が表示され、ログイン選択ボタンを押下すると、操作者が選択した回線が実際の回線情報と一致するか否かと、現在のログイン数とログイン制限を比較し更新することにより、回線状態が一致し且つログイン制限数未満である場合にログインを実行して各操作画面へ遷移することができるような構成とする。つまり、映像監視システムにおいて、回線切替え機能とログイン数制限機能を設けることを特徴とする。なお、現在のログイン数とログイン制限数の情報は、ＩＴＶ制御装置８０が保持していても良いし、外部データベースなどに保持させても良い。また、ログイン制限数は、回線状態に応じて変更するようにしても良い。例えば、ネットワーク回線４０に障害が生じ、衛星回線１００に切替えた場合、衛星回線１００はネットワーク回線４０よりも回線が細いため、ログイン制限数を低減するように制御することが好ましい。
（２）ネットワーク回線４０の回線状態を保持しており、受信局５０から回線切替信号を受信すると、ネットワーク回線４０の回線状態を更新するＩＴＶ制御装置８０と、ＩＴＶ制御装置８０からネットワーク回線４０の回線状態を定期的に監視する操作端末７０を備えた映像監視システムにおいて、操作端末７０は、ＩＴＶ制御装置８０上でネットワーク回線４０の回線状態が更新されていることを確認すると、ログイン操作画面５００に自動または手動で遷移することを特徴とする。なお、ネットワーク回線４０の回線状態は、ＩＴＶ制御装置８０ではなく、外部データベースなどに保持させても良い。
【００４４】
以上説明したように、本発明の他の実施形態に係る映像監視システムによれば、異なる２つの回線のいずれか一つの回線を使用して送信された映像を見ながら監視業務を行う際に、操作者が操作端末の操作画面から、よりスムーズに監視映像表示画面の切替操作を行うことが可能な映像監視システムを提供することができる。
【００４５】
さらに、所定のエリアを撮影する監視カメラと、監視カメラで撮影した映像を主回線または予備回線を介して受信し、当該映像を表示部に表示する操作端末と、操作端末に接続されており、主回線の障害を検知し、操作端末へ主回線の状態を通知する回線状態監視手段と、を含んで構成される映像監視システムにおいて、操作端末は、主回線に接続するための主回線用選択ボタンおよび予備回線に接続するための予備回線用選択ボタンを有する回線切替画面と、回線切替画面の主回線用選択ボタンの選択操作で、主回線を介して送信された監視カメラからの映像を表示する主回線用監視画面と、回線切替画面の予備回線用選択ボタンの選択操作で、予備回線を介して送信された監視カメラからの映像を表示する予備回線用監視画面と、を表示部に表示する制御を行い、表示部に主回線用監視画面を表示している時に、回線状態監視手段から主回線の障害を検知した場合、主回線用監視画面から回線切替画面への自動遷移を行い、主回線の障害を表示部上で通知することを特徴としているため、操作者は、主回線用監視画面と予備回線用監視画面の切替操作を、回線切替画面を通して容易かつ迅速に行うことができる。
【００４６】
また、回線状態監視手段は、主回線の復旧を検知し、操作端末へ主回線の状態を通知し、操作端末は、表示部に予備回線用監視画面を表示している時に、回線状態監視手段から主回線の復旧を示す主回線の状態を受信した場合に、主回線の復旧を表示部上で通知することを特徴としているため、操作者は、主回線の復旧時点で行っている他のシステム操作を阻害されずに任意で続行できるようになる。
【００４７】
また、操作端末は、回線切替画面で選択された回線が実際の回線情報と一致するか否かと、現在のログイン数とログイン制限を比較し更新することにより、回線状態が一致し且つログイン制限数未満である場合にログインを実行して各監視画面へ遷移することを特徴としているため、ログイン制限数によって回線の輻輳を抑止することができる。
【００４８】
なお、上記実施形態の構成及び動作は例であって、本発明の趣旨を逸脱しない範囲で適宜変更して実行することができることは言うまでもない。
【符号の説明】
【００４９】
１０：監視カメラ、２０：ＷＥＢエンコーダ、３０：送信局、３１：制御部、３２：ネットワーク回線装置、３３：衛星回線装置、３４：送信用アンテナ、４０：ネットワーク回線、５０：受信局、５１：制御部、５１ａ：回線障害検出手段、５１ｂ：回線切替手段、５２：ネットワーク回線装置、５３：衛星回線装置、５４：受信用アンテナ、６０：ＩＴＶネットワーク回線、７０：操作端末、８０：ＩＴＶ制御装置、９０：通信衛星、１００：衛星回線、２６０：バス、２６１：ＣＰＵ、２６２：主記憶部、２６３：補助記憶部、２６４：表示Ｉ／Ｆ、２６５：入出力Ｉ／Ｆ、２６６：ネットワークＩ／Ｆ、２７０：表示装置、２８０：キーボード、２８２：マウス、５００：ログイン操作画面、５０１：地上回線欄、５０２：衛星回線欄、５０３：エリア選択ボタン、５０４：エリア選択ボタン、５１０：ポップアップ表示画面、５１１：「ＯＫ」ボタン、５２０：地上回線用監視画面、５２１：映像表示部、５２２：映像操作部、５２３：エリアリスト、５３０：衛星回線用監視画面、５３１：映像表示部、５３２：映像操作部、５３３：エリアリスト、５４０：ポップアップ表示画面、５４１：「ＯＫ」ボタン。
【図１】
2016015624.tif 000003
【図２】
2016015624.tif 000004
【図３】
2016015624.tif 000005
【図４】
2016015624.tif 000006
【図５】
2016015624.tif 000007
【図６】
2016015624.tif 000008
【図７】
2016015624.tif 000009
【図８】
2016015624.tif 000010
【図９】
2016015624.tif 000011
【図１０】
2016015624.tif 000012